【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
標準的な１２誘導心電図（ＥＣＧ）およびリズムストリップを獲得するための方法であって、ＥＣＧおよびリズムストリップは、標準的なアイントホーフェン肢誘導、ゴールドバーガー増高誘導、およびウィルソン前胸部誘導に従って獲得され、
ａ．前記方法は、少なくとも９つの皮膚電極の組を提供するステップを具備し、電極の各々は、直接または電極ベルトを介して、個人用ＥＣＧデバイスに電気的に接続され、ここで、ＥＣＧデバイスは、ユーザの左脚の電気信号を取得するために、そのハウジングの背面側に胸部に面する２つの前胸部電極を有し、かつ、１つの浮動電極（ＬＬ電極）を有し、ここで、前記ベルトは、胸部ストラップを含み、胸部ストラップ上に、少なくとも６つの皮膚監視電極が、解剖学的に配置され、ここで、少なくとも４つの前胸部電極が、前記ベルトの内側に置かれ、かつ、ユーザの胸部上に配置され、２つの皮膚監視電極は、左腕（ＬＡ電極）および右腕（ＲＡ電極）の電極信号を取得するために、前記ベルトの外側に置かれたベルト取付肢電極であり、
ｂ．前記方法は、ベルトをユーザの胸部の周囲に固定しかつＬＬ電極を腰部上に配置しながら、前記電極ベルトおよび前記ＥＣＧデバイスを使用することによって、前記ユーザの身体上に前記少なくとも９つの皮膚監視電極を配置するステップを具備し、それによって、前記個人用ＥＣＧデバイスに直接接続された電極と組み合わせてベルト上に配置された皮膚監視電極が、リズムストリップおよび１２誘導ＥＣＧのためのＥＣＧデータの取得を可能にし、ここで、前記電極からの信号は、標準的な１２誘導ＥＣＧ具備する標準的なアイントホーフェン肢誘導、ゴールドバーガー増高誘導、およびウィルソン前胸部誘導のためのデータを獲得するために、そのような方法で取得され、
ｃ．前記方法は、アイントホーフェン、ゴールドバーガー、およびウィルソンと前記リズムストリップとに従って、前記標準的な１２誘導ＥＣＧを獲得するためのＥＣＧデータを、前記個人用ＥＣＧデバイスによって、生成するステップを具備し、ここで、前記生成されたＥＣＧデータは、標準的な解剖学の位置に配置された前記皮膚監視電極によって取得されるときに、前記ユーザの心臓の電気的な活動を示し、
ｄ．前記方法は、前記ＥＣＧデータを、ショートレンジデータ通信ワイヤレスプロトコルを介して、対をなす移動デバイスへ転送するステップを具備し、移動デバイスは、前記転送されたＥＣＧデータを遠隔データセンタへ伝送するために、遠隔データセンタと通信するように適応され、
ｅ．前記方法は、前記遠隔データセンタにおいて、前記転送されたＥＣＧデータを処理し、かつ、従来の臨床の１２誘導ＥＣＧおよびリズムストリップ記録を作成するステップを具備し、ここで、前記移動デバイスは、前記遠隔データセンタから、前記作成された１２誘導ＥＣＧおよびリズムストリップ記録を受信するように更に適応されている
ことを特徴とする方法。
【請求項２】
前記移動デバイスは、前記遠隔データセンタとのデータ通信を確立し、前記遠隔データセンタの代表者との音声コンタクトの間に、ＥＣＧデータを送信する、請求項１に記載の方法。
【請求項３】
前記作成された１２誘導ＥＣＧおよびリズムストリップ記録を、前記遠隔データセンタから、１つまたは複数の通信プロトコルを介して、移動デバイス、遠隔端末ユニット、ポータブルコンピュータベースの通信デバイス、およびその他のコンピュータシステムに転送し、それによって、前記１２誘導ＥＣＧおよびリズムストリップが、医療専門家などによって検討され、保存され、かつ／または印刷されるのを可能にするステップをさらに含む、請求項１に記載の方法。
【請求項４】
前記ユーザが、前記移動デバイスのディスプレイ上で１２誘導ＥＣＧおよびリズムストリップ記録の表示を観察するのを可能にするステップをさらに含む、請求項１に記載の方法。
【請求項５】
前記移動デバイスを使用して各ＥＣＧ電極接触の状態を前記ユーザに対して表示し、それによって、前記電極接触の前記状態を評価し、前記ユーザが前記接触、したがって、結果的に得られるＥＣＧの質を改善するのを可能にするようにフィードバックを前記ユーザに提供することによって、電極接触状態を改善するステップをさらに含む、請求項１に記載の方法。
【請求項６】
前記ユーザに対して、前記個人用ＥＣＧデバイスを操作する間、指示、質問、またはその他の関連データを、前記対をなす前記移動デバイスを介して与えるステップをさらに含む、請求項１に記載の方法。
【請求項７】
心電図監視システムであって、
ａ．前記システムは、ユーザの心臓の電気的な活動を示す標準的な１２誘導心電図（ＥＣＧ）データを具備する標準的なアイントホーフェン肢誘導、ゴールドバーガー増高誘導、およびウィルソン前胸部誘導のためのデータを獲得するための個人用ＥＣＧデバイスを具備し、ここで、ＥＣＧデバイスは、ユーザの左脚の電気信号を取得するために、そのハウジングの背面側に胸部に面する２つの前胸部電極を有し、かつ、１つの浮動電極（ＬＬ電極）を有し、
ｂ．前記システムは、電極ベルトを具備し、前記電極ベルトは、前記ユーザの胸部の周りに延びる弾性部分と、前記ユーザの身体を囲みながら前記ベルトを閉めるために前記個人用ＥＣＧデバイス上に置かれたベルト閉め部材とかみ合わされるように適応されたバックルとを有し、ここで、バックルおよびベルト閉め部材は、また、これらが機械的にかみ合わされるとき、電気的に接続され、それによって、前記ベルト上に解剖学的に配置された少なくとも６つの皮膚監視電極によって取得されるときに、心臓の電気的な活動を前記個人用ＥＣＧデバイスへ転送することを可能にし、ここで、前記電極のうちの少なくとも４つは、前記ベルトの内側に置かれかつ前記ユーザの胸部上に配置された前胸部の電極であり、２つの電極は、左腕（ＬＡ電極）および右腕（ＲＡ電極）の電極信号を取得するために、前記ベルトの外側に置かれたベルト取付肢電極であり、それによって、前記個人用ＥＣＧデバイスに直接接続された電極と組み合わせてベルト上に配置された電極が、前記標準的な１２誘導ＥＣＧを取得するための標準的な解剖学の電極位置に自動的に配置され、
ｃ．前記システムは、前記個人用ＥＣＧデバイス内に埋め込まれた、対をなす移動デバイスとのデータ通信のためのショートレンジワイヤレス通信モジュールを具備し、それによって、前記個人用ＥＣＧデバイスから、前記移動デバイスへ、ＥＣＧデータを転送することを可能にし、
ｄ．前記システムは、前記転送されたＥＣＧデータを遠隔データセンタへ伝送するために、遠隔データセンタとのデータ通信のために、前記移動デバイスによって実行されるための専用アプリケーションを具備し、専用アプリケーションは、前記ＥＣＧデータを処理しかつ１２誘導ＥＣＧおよびリズムストリップ記録を作成し、かつ、前記遠隔センタから受信されたときに、前記作成された１２誘導ＥＣＧ記録に関連する情報を視覚的に表示する
ことを特徴とする心電図監視システム。
【請求項８】
前記ベルトは、前記皮膚電極が解剖学的に位置する胸部ストラップ電極ベルトであり、前記ベルトは、前記皮膚電極のうちの少なくともいくつかにおいて前記個人用ＥＣＧデバイスに電気的に接続する電気的接続部を含む閉め部材を有する、請求項７に記載のシステム。
【請求項９】
前記個人用ＥＣＧデバイスおよび前記ベルトは、前記電極ベルトを交換するのを可能にする対応する機構を備え、したがって、前記電極ベルトは、取り外して様々なベルトと交換され、ベルトサイズを胸部サイズおよび性別に合わせて個人用に設定することができる、請求項７に記載のシステム。
【請求項１０】
前記浮動電極の導線は、子供のヨーヨーと同様な電極コンパートメント内に前記導線を巻き付けるのを可能にする、外側導電電極面を有するスプールである、請求項７に記載のシステム。